(57)【要約】【課題】太陽光発電設備の発電出力の推定精度を向上することができる太陽光発電出力推定装置を提供する。【解決手段】所定時点での太陽光発電設備の発電出力を推定する太陽光発電出力推定装置１００であって、所定時点より前の所定期間における、太陽光発電設備の設置者ごとの太陽光発電設備の発電量と、設置者ごとの太陽光発電設備の設置場所での日射量とを取得する取得部１１０と、発電量と日射量とを設置者ごとに関連付け、設置者ごとの発電量と日射量とを用いて、設置者ごとまたは複数の設置者における所定時点での太陽光発電設備の発電出力と日射量との関係式を推定する推定部１２０とを備える。【選択図】図２
2018007370.tif 000002
【特許請求の範囲】
【請求項１】
所定時点での太陽光発電設備の発電出力を推定する太陽光発電出力推定装置であって、
前記所定時点より前の所定期間における、前記太陽光発電設備の設置者ごとの前記太陽光発電設備の発電量と、前記設置者ごとの前記太陽光発電設備の設置場所での日射量とを取得する取得部と、
前記発電量と前記日射量とを前記設置者ごとに関連付け、前記設置者ごとの前記発電量と前記日射量とを用いて、前記設置者ごとまたは複数の前記設置者における前記所定時点での前記太陽光発電設備の発電出力と日射量との関係式を推定する推定部と
を備える太陽光発電出力推定装置。
【請求項２】
前記取得部は、前記設置者と前記発電量とが対応付けられた発電情報と、前記設置者と前記設置場所とが対応付けられた場所情報と、前記設置場所と前記日射量とが対応付けられた日射情報とを取得し、
前記推定部は、前記設置者と前記発電量と前記設置場所と前記日射量とを関連付けることで、前記発電量と前記日射量とを前記設置者ごとに関連付ける
請求項１に記載の太陽光発電出力推定装置。
【請求項３】
前記取得部は、前記発電量を、前記設置者ごとに設けられたスマートメータから取得する
請求項１または２に記載の太陽光発電出力推定装置。
【請求項４】
前記推定部は、
前記太陽光発電設備が発電した電力の全てを前記発電量として、当該発電量を商用電力系統へ供給する第一設置者における前記関係式を第一関係式として算出し、
前記太陽光発電設備が発電した電力を自家消費した残りを前記発電量として、当該発電量を前記商用電力系統へ供給する第二設置者における前記関係式を第二関係式として算出する
請求項１〜３のいずれか１項に記載の太陽光発電出力推定装置。
【請求項５】
前記推定部は、
前記第一設置者において、前記太陽光発電設備の発電出力が、前記日射量に前記太陽光発電設備の定格出力を乗じ、かつ、換算係数を乗じた値で表される関係式を前記第一関係式とし、
前記第一設置者において、前記発電量を、前記日射量に前記定格出力を乗じた値で除すことにより、前記換算係数を算出する
請求項４に記載の太陽光発電出力推定装置。
【請求項６】
前記推定部は、
前記第二設置者において、前記太陽光発電設備の発電出力が、前記日射量に前記太陽光発電設備の定格出力を乗じ、かつ、前記換算係数を乗じた値から、自家消費量を差し引いた値で表される関係式を前記第二関係式とし、
前記第二設置者において、前記日射量に前記定格出力を乗じ、かつ、前記換算係数を乗じた値から、前記発電量を差し引くことにより、前記自家消費量を算出する
請求項５に記載の太陽光発電出力推定装置。
【請求項７】
前記推定部は、
前記第一設置者において、前記発電量の合計値を、前記日射量に前記定格出力を乗じた値の合計値で除した値を、前記換算係数として算出し、
前記第二設置者において、前記日射量に前記定格出力を乗じた値の合計値に前記換算係数を乗じた値から、前記発電量の合計値を差し引いた値を、前記自家消費量として算出する
請求項６に記載の太陽光発電出力推定装置。
【請求項８】
前記取得部は、さらに、前記所定期間における、前記設置者ごとの前記太陽光発電設備の設置場所での気温、日照時間、降水量、風速及び湿度の少なくとも１つを含む気象情報を取得し、
前記推定部は、前記発電量と前記日射量と前記気象情報に含まれる情報とを前記設置者ごとに関連付け、前記設置者ごとの前記発電量と前記日射量と前記気象情報に含まれる情報とを用いて、前記関係式を推定する
請求項１〜７のいずれか１項に記載の太陽光発電出力推定装置。
【請求項９】
所定時点での太陽光発電設備の発電出力を推定する太陽光発電出力推定方法であって、
前記所定時点より前の所定期間における、前記太陽光発電設備の設置者ごとの前記太陽光発電設備の発電量と、前記設置者ごとの前記太陽光発電設備の設置場所での日射量とを取得する取得ステップと、
前記発電量と前記日射量とを前記設置者ごとに関連付け、前記設置者ごとの前記発電量と前記日射量とを用いて、前記設置者ごとまたは複数の前記設置者における前記所定時点での前記太陽光発電設備の発電出力と日射量との関係式を推定する推定ステップと
を含む太陽光発電出力推定方法。
【請求項１０】
請求項９に記載の太陽光発電出力推定方法に含まれるステップをコンピュータに実行させるためのプログラム。
【発明の詳細な説明】
【技術分野】
【０００１】
本発明は、所定時点での太陽光発電設備の発電出力を推定する太陽光発電出力推定装置及び太陽光発電出力推定方法に関する。
【背景技術】
【０００２】
近年、太陽光発電設備を設置し、当該太陽光発電設備からの電力を商用電力系統へ供給する需要家が増えてきている。このため、各需要家が設置した太陽光発電設備の発電出力を推定する装置が提案されている（例えば、特許文献１参照）。
【先行技術文献】
【特許文献】
【０００３】
【特許文献１】特開２０１３−１６１２３９号公報
【発明の概要】
【発明が解決しようとする課題】
【０００４】
ここで、太陽光発電設備が大量に導入されれば、商用電力系統へ与える影響が大きくなるため、太陽光発電設備の発電出力の推定精度を向上することは重要である。例えば、太陽光発電設備が７００万ｋＷ導入された場合を想定すると、３％の精度向上を図ることができれば、２１万ｋＷ分の商用電力系統への影響を低減することができる。このため、太陽光発電設備の発電出力の推定精度を向上することが望まれる。
【０００５】
そこで、本発明は、このような問題に鑑みてなされたものであり、太陽光発電設備の発電出力の推定精度を向上することができる太陽光発電出力推定装置及び太陽光発電出力推定方法を提供することを目的とする。
【課題を解決するための手段】
【０００６】
上記目的を達成するために、本発明の一態様に係る太陽光発電出力推定装置は、所定時点での太陽光発電設備の発電出力を推定する太陽光発電出力推定装置であって、前記所定時点より前の所定期間における、前記太陽光発電設備の設置者ごとの前記太陽光発電設備の発電量と、前記設置者ごとの前記太陽光発電設備の設置場所での日射量とを取得する取得部と、前記発電量と前記日射量とを前記設置者ごとに関連付け、前記設置者ごとの前記発電量と前記日射量とを用いて、前記設置者ごとまたは複数の前記設置者における前記所定時点での前記太陽光発電設備の発電出力と日射量との関係式を推定する推定部とを備える。
【０００７】
これによれば、太陽光発電出力推定装置は、設置者ごとの太陽光発電設備の発電量と設置場所での日射量とを取得し、当該発電量と当該日射量とを設置者ごとに関連付け、設置者ごとの当該発電量と当該日射量とを用いて、設置者ごとまたは複数の設置者における所定時点での太陽光発電設備の発電出力と日射量との関係式を推定する。このように、太陽光発電出力推定装置は、太陽光発電設備の発電実績を用いて当該関係式を推定するため、当該関係式から、太陽光発電設備の発電出力を精度良く推定することができる。このため、当該太陽光発電出力推定装置によれば、太陽光発電設備の発電出力の推定精度を向上することができる。
【０００８】
また、前記取得部は、前記設置者と前記発電量とが対応付けられた発電情報と、前記設置者と前記設置場所とが対応付けられた場所情報と、前記設置場所と前記日射量とが対応付けられた日射情報とを取得し、前記推定部は、前記設置者と前記発電量と前記設置場所と前記日射量とを関連付けることで、前記発電量と前記日射量とを前記設置者ごとに関連付けることにしてもよい。
【０００９】
これによれば、太陽光発電出力推定装置は、発電情報と場所情報と日射情報という３つの情報を用いて、設置者と発電量と設置場所と日射量とを関連付けることで、発電量と日射量とを設置者ごとに関連付ける。このように、太陽光発電出力推定装置は、当該３つの情報を用いることで、容易に、発電量と日射量とを設置者ごとに関連付けることができる。
【００１０】
また、前記取得部は、前記発電量を、前記設置者ごとに設けられたスマートメータから取得することにしてもよい。
【００１１】
これによれば、太陽光発電出力推定装置は、太陽光発電設備の発電量を、設置者ごとに設けられたスマートメータから取得することで、容易に、当該発電量を取得することができる。
【００１２】
また、前記推定部は、前記太陽光発電設備が発電した電力の全てを前記発電量として、当該発電量を商用電力系統へ供給する第一設置者における前記関係式を第一関係式として算出し、前記太陽光発電設備が発電した電力を自家消費した残りを前記発電量として、当該発電量を前記商用電力系統へ供給する第二設置者における前記関係式を第二関係式として算出することにしてもよい。
【００１３】
これによれば、太陽光発電出力推定装置は、太陽光発電設備が発電した電力の全てを商用電力系統へ供給する第一設置者における第一関係式と、太陽光発電設備が発電した電力を自家消費した残りを商用電力系統へ供給する第二設置者における第二関係式とを算出する。つまり、太陽光発電出力推定装置は、全量買取の第一設置者と余剰買取の第二設置者とに分けて、関係式を算出する。これにより、太陽光発電出力推定装置は、太陽光発電設備の発電出力を精度良く算出することができる。
【００１４】
また、前記推定部は、前記第一設置者において、前記太陽光発電設備の発電出力が、前記日射量に前記太陽光発電設備の定格出力を乗じ、かつ、換算係数を乗じた値で表される関係式を前記第一関係式とし、前記第一設置者において、前記発電量を、前記日射量に前記定格出力を乗じた値で除すことにより、前記換算係数を算出することにしてもよい。
【００１５】
これによれば、太陽光発電出力推定装置は、第一設置者において、第一関係式に用いられる換算係数を精度良く算出することで、太陽光発電設備の発電出力を精度良く算出することができる。
【００１６】
また、前記推定部は、前記第二設置者において、前記太陽光発電設備の発電出力が、前記日射量に前記太陽光発電設備の定格出力を乗じ、かつ、前記換算係数を乗じた値から、自家消費量を差し引いた値で表される関係式を前記第二関係式とし、前記第二設置者において、前記日射量に前記定格出力を乗じ、かつ、前記換算係数を乗じた値から、前記発電量を差し引くことにより、前記自家消費量を算出することにしてもよい。
【００１７】
これによれば、太陽光発電出力推定装置は、第二設置者において、第一関係式における換算係数を使用して、第二関係式に用いられる自家消費量を精度良く算出することで、太陽光発電設備の発電出力を精度良く算出することができる。
【００１８】
また、前記推定部は、前記第一設置者において、前記発電量の合計値を、前記日射量に前記定格出力を乗じた値の合計値で除した値を、前記換算係数として算出し、前記第二設置者において、前記日射量に前記定格出力を乗じた値の合計値に前記換算係数を乗じた値から、前記発電量の合計値を差し引いた値を、前記自家消費量として算出することにしてもよい。
【００１９】
これによれば、太陽光発電出力推定装置は、第一設置者及び第二設置者において、発電量の合計値、及び、日射量に定格出力を乗じた値の合計値を用いて、換算係数及び自家消費量を算出する。これにより、太陽光発電出力推定装置は、第一設置者及び第二設置者において、太陽光発電設備の発電出力の合計値を精度良く算出することができる。
【００２０】
また、前記取得部は、さらに、前記所定期間における、前記設置者ごとの前記太陽光発電設備の設置場所での気温、日照時間、降水量、風速及び湿度の少なくとも１つを含む気象情報を取得し、前記推定部は、前記発電量と前記日射量と前記気象情報に含まれる情報とを前記設置者ごとに関連付け、前記設置者ごとの前記発電量と前記日射量と前記気象情報に含まれる情報とを用いて、前記関係式を推定することにしてもよい。
【００２１】
これによれば、太陽光発電出力推定装置は、さらに、太陽光発電設備の設置場所での気温、日照時間、降水量、風速及び湿度の少なくとも１つを含む気象情報を用いて、関係式を推定することで、太陽光発電設備の発電出力の推定精度をさらに向上することができる。
【００２２】
また、本発明は、このような太陽光発電出力推定装置として実現することができるだけでなく、太陽光発電設備の設置者に対して設けられた少なくとも１つのスマートメータと、当該スマートメータから得られる、所定期間における太陽光発電設備の発電量を用いて、所定期間より後の所定時点での太陽光発電設備の発電出力を推定する、上記の太陽光発電出力推定装置とを備える太陽光発電出力推定システムとしても実現することができる。
【００２３】
また、本発明は、上記の太陽光発電出力推定装置に含まれる処理部が行う特徴的な処理をステップとする太陽光発電出力推定方法としても実現することができる。また、当該太陽光発電出力推定方法に含まれる特徴的な処理をコンピュータに実行させるプログラムや集積回路として実現したりすることもできる。そして、そのようなプログラムは、ＣＤ−ＲＯＭ等の非一時的な記録媒体やインターネット等の伝送媒体を介して流通させることもできる。
【発明の効果】
【００２４】
本発明によれば、太陽光発電設備の発電出力の推定精度を向上することができる太陽光発電出力推定装置を提供することができる。
【図面の簡単な説明】
【００２５】
【図１】本発明の実施の形態に係る太陽光発電出力推定装置を備える太陽光発電出力推定システムの構成を示す図である。
【図２】本発明の実施の形態に係る太陽光発電出力推定装置の機能的な構成を示すブロック図である。
【図３Ａ】本発明の実施の形態に係る発電情報の一例を示す図である。
【図３Ｂ】本発明の実施の形態に係る場所情報の一例を示す図である。
【図３Ｃ】本発明の実施の形態に係る日射情報の一例を示す図である。
【図４】本発明の実施の形態に係る太陽光発電出力推定装置が所定時点での太陽光発電設備の発電出力を推定する処理の一例を示すフローチャートである。
【図５】本発明の実施の形態に係る取得部が所定期間における発電量と日射量とを取得する処理の一例を示すフローチャートである。
【図６】本発明の実施の形態に係る取得部が所定期間における発電量と日射量とを取得し、発電量と日射量とを設置者ごとに関連付ける処理を説明する図である。
【図７】本発明の実施の形態に係る推定部が所定時点での太陽光発電設備の発電出力と日射量との関係式を推定する処理の一例を示すフローチャートである。
【図８Ａ】本発明の実施の形態に係る太陽光発電出力推定装置が奏する効果を示す図である。
【図８Ｂ】本発明の実施の形態に係る太陽光発電出力推定装置が奏する効果を示す図である。
【図９】本発明の実施の形態の変形例に係る太陽光発電出力推定装置の機能的な構成を示すブロック図である。
【図１０】本発明の実施の形態の変形例に係る気象情報の一例を示す図である。
【図１１】本発明の実施の形態の変形例に係る太陽光発電出力推定装置が所定時点での太陽光発電設備の発電出力を推定する処理の一例を示すフローチャートである。
【発明を実施するための形態】
【００２６】
以下、図面を参照しながら、本発明の実施の形態に係る太陽光発電出力推定装置及び太陽光発電出力推定システムについて、説明する。
【００２７】
なお、以下で説明する実施の形態は、いずれも本発明の好ましい一具体例を示すものである。以下の実施の形態で示される数値、形状、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００２８】
（実施の形態）
図１は、本発明の実施の形態に係る太陽光発電出力推定装置１００を備える太陽光発電出力推定システム１０の構成を示す図である。
【００２９】
同図に示すように、太陽光発電出力推定システム１０は、太陽光発電出力推定装置１００と、第一設置者２００に設けられたスマートメータ２３０や第二設置者３００に設けられたスマートメータ３３０などの設置者ごとに設けられたスマートメータとを備えている。
【００３０】
太陽光発電出力推定装置１００は、所定時点での太陽光発電設備の発電出力を推定するコンピュータである。ここで、所定時点とは、現在の時点のみならず、過去または未来の時点も含まれる。なお、この太陽光発電出力推定装置１００は、パーソナルコンピュータ等の汎用のコンピュータシステムがプログラムを実行することによって実現されてもよいし、専用のコンピュータシステムによって実現されてもよい。太陽光発電出力推定装置１００の詳細な構成については、後述する。
【００３１】
スマートメータ２３０及び３３０は、電気使用量や発電量などの電力量を、３０分などの所定期間ごとにデジタルで計測、記録して、電力会社による検針業務の自動化を実現する通信機能を持った電力量計である。つまり、スマートメータ２３０及び３３０は、太陽光発電出力推定装置１００と接続されており、当該電力量に関する情報を太陽光発電出力推定装置１００へ送信する。なお、スマートメータ２３０とスマートメータ３３０とは、同じ機種の（同じ機能を有する）スマートメータであってもよいし、異なる機種の（異なる機能を有する）スマートメータであってもよい。
【００３２】
具体的には、スマートメータ２３０は、第一設置者２００に設けられたスマートメータである。ここで、第一設置者２００とは、太陽光発電設備が発電した電力の全てを商用電力系統へ供給する全量買取契約の需要家であり、太陽光発電設備であるＰＶ２１０を設置している。
【００３３】
ＰＶ２１０は、第一設置者２００が有する例えば建築物の屋根等に設置されている太陽光発電設備であり、電力系統４００に連系されている。電力系統４００は、電力会社等の発電設備５００から変電所を介して電力が供給される商用電力系統である。そして、ＰＶ２１０は、発電した電力の全てを、電力系統４００に供給する。なお、ＰＶ２１０は、どのような機能を有し、また、どのような性能の太陽光発電設備であってもかまわない。なお、第一設置者２００は、電力負荷を有しており当該電力負荷には電力系統４００から電力が供給されるが、当該電力負荷はスマートメータ２３０とは別のメータで計測されるため、同図では省略して図示している。
【００３４】
つまり、スマートメータ２３０は、第一設置者２００が有するＰＶ２１０から、電力系統４００へ供給された電力量（発電量）を計測、記録する。そして、スマートメータ２３０は、計測、記録した電力量を太陽光発電出力推定装置１００へ送信する。
【００３５】
また、スマートメータ３３０は、第二設置者３００に設けられたスマートメータである。ここで、第二設置者３００とは、太陽光発電設備が発電した電力を自家消費した残りを商用電力系統へ供給する余剰買取契約の需要家であり、太陽光発電設備であるＰＶ３１０を設置しているとともに、負荷３２０を有している。
【００３６】
負荷３２０は、第二設置者３００が消費している電力負荷であり、例えば、エアコンなどの家電機器の消費電力や、工場で機械を稼動するための消費電力などである。また、ＰＶ３１０は、第二設置者３００が有する例えば建築物の屋根等に設置されている太陽光発電設備であり、電力系統４００に連系されている。そして、ＰＶ３１０は、発電した電力を、まずは負荷３２０に供給（自家消費）し、そして、自家消費した残りの電力を電力系統４００に供給する。なお、ＰＶ３１０は、どのような機能を有し、また、どのような性能の太陽光発電設備であってもかまわない。
【００３７】
つまり、スマートメータ３３０は、電力系統４００から、第二設置者３００が有する負荷３２０へ供給された電力量（電気使用量）を計測、記録するとともに、第二設置者３００が有するＰＶ３１０から、電力系統４００へ供給された電力量（発電量）を計測、記録する。ここで、ＰＶ３１０は、発電した電力を負荷３２０に供給するため、スマートメータ３３０は、ＰＶ３１０が発電した電力が負荷３２０よりも大きい場合において、ＰＶ３１０が発電した電力から負荷３２０を差し引いて得られる電力量を計測、記録する。または、スマートメータ３３０は、ＰＶ３１０が発電した電力が負荷３２０よりも小さい場合において、ＰＶ３１０が発電した電力を負荷３２０から差し引いて得られる電力量を計測、記録する。そして、スマートメータ３３０は、計測、記録した電力量を太陽光発電出力推定装置１００へ送信する。
【００３８】
このように、スマートメータ２３０は、第一設置者２００が有するＰＶ２１０が発電した全ての発電量を計測、記録し、当該発電量を太陽光発電出力推定装置１００へ送信する。また、スマートメータ３３０は、第二設置者３００が有するＰＶ３１０が発電した電力を自家消費した残りの発電量を計測、記録し、当該発電量を太陽光発電出力推定装置１００へ送信する。なお、電力系統４００には、１以上（本実施の形態では複数）の第一設置者２００のスマートメータ２３０及び１以上（本実施の形態では複数）の第二設置者３００のスマートメータ３３０が接続されている。つまり、太陽光発電出力推定システム１０は、複数のスマートメータ２３０及び複数のスマートメータ３３０を備えており、太陽光発電出力推定装置１００は、当該複数のスマートメータ２３０及び複数のスマートメータ３３０から、複数のＰＶ２１０及び複数のＰＶ３１０の発電量に関する情報を取得する。
【００３９】
次に、太陽光発電出力推定装置１００の詳細な機能構成について、説明する。
【００４０】
図２は、本発明の実施の形態に係る太陽光発電出力推定装置１００の機能的な構成を示すブロック図である。
【００４１】
太陽光発電出力推定装置１００は、所定時点での太陽光発電設備の発電出力を推定する装置であり、同図に示すように、取得部１１０と、推定部１２０と、記憶部１３０とを備えている。また、記憶部１３０は、所定時点での太陽光発電設備の発電出力を推定するためのデータなどを記憶しているメモリであり、具体的には、発電情報１３１と、場所情報１３２と、日射情報１３３とを記憶している。なお、図示していないが、太陽光発電出力推定装置１００は、キーボードやマウスなどの入力部や液晶ディスプレイなどの表示部を備えていてもよい。
【００４２】
取得部１１０は、所定時点より前の所定期間における、太陽光発電設備の設置者ごとの太陽光発電設備の発電量と、設置者ごとの太陽光発電設備の設置場所での日射量とを取得する。
【００４３】
ここで、上記所定期間とは、太陽光発電出力推定装置１００が発電出力を推定する所定時点よりも、例えば１年前の期間である。太陽光発電出力推定装置１００が例えば今年の１月の発電出力を推定する場合には、上記所定期間は、例えば昨年の１月の１カ月間である。なお、この場合、上記所定期間として、例えば、昨年の数日間、数か月間、１年間、または一昨年中の期間などを採用することもできる。または、太陽光発電出力推定装置１００が発電出力を推定する所定時点が１年後などの将来の時点である場合、上記所定期間として今年の所定期間を採用することもできる。
【００４４】
具体的には、取得部１１０は、ＰＶ２１０の発電出力を推定する前の所定期間における、第一設置者２００ごとのＰＶ２１０の発電量と、第一設置者２００ごとのＰＶ２１０の設置場所での日射量とを取得する。また、取得部１１０は、ＰＶ３１０の発電出力を推定する前の所定期間における、第二設置者３００ごとのＰＶ３１０の発電量と、第二設置者３００ごとのＰＶ３１０の設置場所での日射量とを取得する。
【００４５】
さらに具体的には、取得部１１０は、設置者と発電量とが対応付けられた発電情報１３１と、設置者と設置場所とが対応付けられた場所情報１３２と、設置場所と日射量とが対応付けられた日射情報１３３とを取得する。つまり、取得部１１０は、記憶部１３０から、発電情報１３１と場所情報１３２と日射情報１３３とを取得する。ここで、記憶部１３０に記憶されている発電情報１３１、場所情報１３２、及び日射情報１３３について、以下に詳細に説明する。
【００４６】
図３Ａは、本発明の実施の形態に係る発電情報１３１の一例を示す図である。また、図３Ｂは、本発明の実施の形態に係る場所情報１３２の一例を示す図である。また、図３Ｃは、本発明の実施の形態に係る日射情報１３３の一例を示す図である。
【００４７】
まず、図３Ａに示すように、発電情報１３１は、設置者と発電量とが対応付けられた情報の集まりであり、具体的には、「日時」と「設置者」と「発電量」とが含まれる情報である。「日時」は、ＰＶ２１０やＰＶ３１０のような太陽光発電設備が発電を行った日時を示す情報である。「設置者」は、第一設置者２００や第二設置者３００のような太陽光発電設備の設置者を示す情報である。「発電量」は、ＰＶ２１０やＰＶ３１０のような太陽光発電設備が発電した発電量を示す情報である。
【００４８】
ここで、発電情報１３１は、スマートメータ２３０やスマートメータ３３０のようなスマートメータから得られる情報である。つまり、取得部１１０は、設置者ごとに設けられたスマートメータから、例えば３０分ごとに太陽光発電設備の発電量を取得し、記憶部１３０の発電情報１３１に記憶させる。具体的には、取得部１１０は、ＰＶ２１０及びＰＶ３１０の発電量を、スマートメータ２３０及びスマートメータ３３０から取得し、記憶部１３０の発電情報１３１に書き込む。なお、取得部１１０は、第一設置者２００においては、ＰＶ２１０が発電した電力の全てを当該発電量として、発電情報１３１に書き込む。また、取得部１１０は、第二設置者３００においては、ＰＶ３１０が発電した電力を自家消費した残りを当該発電量として、発電情報１３１に書き込む。そして、取得部１１０は、必要に応じて、発電情報１３１に書き込まれた設置者ごとの当該発電量を、発電情報１３１から読み出して取得する。
【００４９】
なお、発電情報１３１は、ユーザからの入力などによって、記憶部１３０に予め記憶されていることにしてもよい。つまり、取得部１１０は、記憶部１３０の発電情報１３１に予め書き込まれた設置者ごとの太陽光発電設備の発電量を、発電情報１３１から取得することにしてもよい。
【００５０】
また、図３Ｂに示すように、場所情報１３２は、設置者と設置場所とが対応付けられた情報の集まりであり、具体的には、「設置者」と「種別」と「定格出力」と「設置場所」とが含まれる情報である。「設置者」は、太陽光発電設備の設置者を示す情報であり、「種別」は、当該設置者が第一設置者２００か第二設置者３００かを示す情報である。「定格出力」は、ＰＶ２１０やＰＶ３１０のような太陽光発電設備の定格出力（設備容量）を示す情報である。「設置場所」は、ＰＶ２１０やＰＶ３１０のような太陽光発電設備が設置されている場所を示す情報である。
【００５１】
ここで、場所情報１３２は、ユーザからの入力などによって、記憶部１３０に予め記憶されている。そして、取得部１１０は、記憶部１３０の場所情報１３２に予め書き込まれた設置者ごとの太陽光発電設備の設置場所を、場所情報１３２から読み出して取得する。
【００５２】
また、図３Ｃに示すように、日射情報１３３は、設置場所と日射量とが対応付けられた情報の集まりであり、具体的には、「日時」と「設置場所」と「日射量」とが含まれる情報である。「日時」は、ＰＶ２１０やＰＶ３１０のような太陽光発電設備が発電を行った日時を示す情報である。「設置場所」は、ＰＶ２１０やＰＶ３１０のような太陽光発電設備が設置されている場所を示す情報である。「日射量」は、ＰＶ２１０やＰＶ３１０のような太陽光発電設備の設置場所における日射量である。
【００５３】
ここで、日射情報１３３は、ユーザからの入力などによって、記憶部１３０に予め記憶されている。なお、「日射量」には、太陽光発電設備の設置場所における日射量の推定値が予め書き込まれている。この日射量の推定値は、従来知られているどのような手法で推定された値であってもよいが、例えば、３０分ごとの１ｋｍ×１ｋｍメッシュの衛星画像（ひまわり７号）のデータを用いて推定された値を、採用することができる。そして、取得部１１０は、記憶部１３０の日射情報１３３に予め書き込まれた設置者ごとの太陽光発電設備の設置場所での日射量を、日射情報１３３から読み出して取得する。なお、取得部１１０は、当該日射量を、当該設置場所に配置された日射計から取得することにしてもよい。
【００５４】
図２に戻り、推定部１２０は、太陽光発電設備の発電量と日射量とを設置者ごとに関連付け、設置者ごとの発電量と日射量とを用いて、設置者ごとまたは複数の設置者における所定時点での太陽光発電設備の発電出力と日射量との関係式を推定する。
【００５５】
具体的には、推定部１２０は、設置者と発電量と設置場所と日射量とを関連付けることで、発電量と日射量とを設置者ごとに関連付ける。つまり、推定部１２０は、取得部１１０が取得した発電情報１３１と場所情報１３２と日射情報１３３とを参照して、設置者と発電量と設置場所と日射量とを関連付けることで、発電量と日射量とを設置者ごとに関連付ける。
【００５６】
そして、推定部１２０は、設置者ごとに関連付けた発電量と日射量とを用いて、設置者ごとまたは複数の設置者における所定時点での太陽光発電設備の発電出力と日射量との関係式を推定する。
【００５７】
つまり、推定部１２０は、ＰＶ２１０が発電した電力の全てを上記発電量として、当該発電量を電力系統４００へ供給する第一設置者２００における関係式を第一関係式として算出する。具体的には、推定部１２０は、第一設置者２００において、ＰＶ２１０の発電出力が、日射量にＰＶ２１０の定格出力を乗じ、かつ、換算係数を乗じた値で表される関係式を第一関係式とし、第一設置者２００において、発電量を、日射量に定格出力を乗じた値で除すことにより、換算係数を算出する。さらに具体的には、推定部１２０は、第一設置者２００において、発電量の合計値を、日射量に定格出力を乗じた値の合計値で除した値を、換算係数として算出する。つまり、当該換算係数は、全ての第一設置者２００に共通する係数である。そして、推定部１２０は、算出した換算係数を、記憶部１３０に書き込むことで記憶させる。これにより、記憶部１３０に第一関係式が記憶されることとなる。
【００５８】
このように、本実施の形態では、推定部１２０は、全ての第一設置者２００におけるＰＶ２１０の発電出力の合計値が、日射量にＰＶ２１０の定格出力を乗じた値の合計値に換算係数を乗じた値で表される関係式を、第一関係式として推定する。なお、推定部１２０は、全ての第一設置者２００における関係式ではなく、一部の第一設置者２００における関係式を第一関係式として算出することにしてもよい。この場合、換算係数は、当該一部の第一設置者２００に対応する係数である。
【００５９】
また、推定部１２０は、ＰＶ３１０が発電した電力を自家消費した残りを上記発電量として、当該発電量を電力系統４００へ供給する第二設置者３００における関係式を第二関係式として算出する。具体的には、推定部１２０は、第二設置者３００において、ＰＶ３１０の発電出力が、日射量にＰＶ３１０の定格出力を乗じ、かつ、換算係数を乗じた値から、自家消費量を差し引いた値で表される関係式を第二関係式とし、第二設置者３００において、日射量に定格出力を乗じ、かつ、換算係数を乗じた値から、発電量を差し引くことにより、自家消費量を算出する。さらに具体的には、推定部１２０は、第二設置者３００において、日射量に定格出力を乗じた値の合計値に換算係数を乗じた値から、発電量の合計値を差し引いた値を、自家消費量として算出する。つまり、当該自家消費量は、全ての第二設置者３００における自家消費量である。そして、推定部１２０は、算出した自家消費量を、記憶部１３０に書き込むことで記憶させる。これにより、記憶部１３０に第二関係式が記憶されることとなる。
【００６０】
このように、本実施の形態では、推定部１２０は、全ての第二設置者３００におけるＰＶ３１０の発電出力の合計値が、日射量にＰＶ３１０の定格出力を乗じた値の合計値に換算係数を乗じた値から自家消費量を差し引いた値で表される関係式を、第二関係式として推定する。なお、推定部１２０は、全ての第二設置者３００における関係式ではなく、一部の第二設置者３００における関係式を第二関係式として算出することにしてもよい。この場合、自家消費量は、一部の第二設置者３００における自家消費量である。
【００６１】
なお、推定部１２０は、取得部１１０が取得した情報に含まれる設置者の種別を参照して、設置者が第一設置者２００であるか第二設置者３００であるかを判断することで、上記の換算係数及び自家消費量を算出することができる。つまり、推定部１２０は、設置者が第一設置者２００であると判断した場合に、発電量と日射量と定格出力とを第一設置者２００ごとに関連付けた情報を抽出し、上記の換算係数を算出する。また、推定部１２０は、設置者が第二設置者３００であると判断した場合に、発電量と日射量と定格出力とを第二設置者３００ごとに関連付けた情報を抽出し、上記の自家消費量を算出する。
【００６２】
次に、太陽光発電出力推定装置１００が所定時点での太陽光発電設備の発電出力を推定する処理について、説明する。
【００６３】
図４は、本発明の実施の形態に係る太陽光発電出力推定装置１００が所定時点での太陽光発電設備の発電出力を推定する処理（太陽光発電出力推定方法）の一例を示すフローチャートである。
【００６４】
同図に示すように、まず、取得部１１０は、太陽光発電出力推定装置１００が発電出力を推定する所定時点より前の所定期間における、太陽光発電設備の設置者ごとの太陽光発電設備の発電量と、設置者ごとの太陽光発電設備の設置場所での日射量とを取得する（Ｓ１０２）。具体的には、取得部１１０は、記憶部１３０から、発電情報１３１と場所情報１３２と日射情報１３３とを読み出して取得する。
【００６５】
そして、推定部１２０は、太陽光発電設備の発電量と日射量とを設置者ごとに関連付ける（Ｓ１０４）。具体的には、推定部１２０は、取得部１１０が取得した発電情報１３１と場所情報１３２と日射情報１３３とを参照して、設置者と発電量と設置場所と日射量とを関連付けることで、発電量と日射量とを設置者ごとに関連付ける。
【００６６】
そして、推定部１２０は、関連付けた設置者ごとの発電量と日射量とを用いて、設置者ごとまたは複数の設置者における所定時点での太陽光発電設備の発電出力と日射量との関係式を推定する（Ｓ１０６）。
【００６７】
次に、太陽光発電出力推定装置１００が所定時点での太陽光発電設備の発電出力を推定する処理について、さらに詳細に説明する。
【００６８】
図５は、本発明の実施の形態に係る取得部１１０が所定期間における発電量と日射量とを取得する処理（図４のＳ１０２）の一例を示すフローチャートである。また、図６は、本発明の実施の形態に係る取得部１１０が所定期間における発電量と日射量とを取得し、発電量と日射量とを設置者ごとに関連付ける処理（図４のＳ１０２〜Ｓ１０４）を説明する図である。また、図７は、本発明の実施の形態に係る推定部１２０が所定時点での太陽光発電設備の発電出力と日射量との関係式を推定する処理（図４のＳ１０６）の一例を示すフローチャートである。
【００６９】
まず、図５及び図６に示すように、取得部１１０は、設置者と発電量とが対応付けられた発電情報１３１を取得する（Ｓ２０２）。具体的には、取得部１１０は、記憶部１３０から、発電情報１３１を読み出して取得する。
【００７０】
つまり、スマートメータ２３０やスマートメータ３３０には、第一設置者２００や第二設置者３００を特定できる計器位置ＩＤと、ＰＶ２１０やＰＶ３１０の発電量の３０分値とが計測されて記録されている。取得部１１０は、これらのスマートメータから、設置者を示す情報である計器位置ＩＤと、太陽光発電設備の発電量とを取得し、記憶部１３０の発電情報１３１に書き込んでおく。そして、取得部１１０は、太陽光発電出力推定装置１００が発電出力を推定する所定時点よりも前の所定期間における、設置者ごとの当該発電量を、発電情報１３１から読み出して取得する。
【００７１】
そして、取得部１１０は、設置者と設置場所とが対応付けられた場所情報１３２を取得する（Ｓ２０４）。具体的には、取得部１１０は、記憶部１３０から、場所情報１３２を読み出して取得する。つまり、取得部１１０は、記憶部１３０の場所情報１３２に予め書き込まれた設置者ごとの太陽光発電設備の設置場所を、場所情報１３２から読み出して取得する。
【００７２】
なお、場所情報１３２は、１つのデータテーブルではなくて、複数のデータテーブルから構成されていてもかまわない。例えば、場所情報１３２は、スマートメータの計器位置ＩＤ及び設置者の識別番号からなるデータテーブルと、設置者の識別番号、設置者の種別を示す情報及び太陽光発電設備の定格出力からなるデータテーブルとから構成されていることにしてもよい。ここで、設置者の識別番号は、設置者の場所（つまり、太陽光発電設備の設置場所）を特定することができる情報である。
【００７３】
この２つのデータテーブルから、設置者、設置者の種別、太陽光発電設備の定格出力及び太陽光発電設備の設置場所が対応付けられた場所情報１３２を構成することができる。このように、場所情報１３２が複数のデータテーブルから構成されている場合でも、当該複数のデータテーブルを関連付けることで、設置者と設置場所とが対応付けられた情報を構成することができる。
【００７４】
これにより、推定部１２０は、取得部１１０が取得した発電情報１３１と場所情報１３２とから、設置者の種別と発電量と定格出力と設置場所とが対応付けられた情報を得ることができる。なお、この際に、データ欠損があった場合には、当該データ欠損のデータを排除することにしてもよい。つまり、推定部１２０は、例えば、５時から１９時の間の発電量のデータがブランク（ＮＵＬＬ）であった場合には、そのデータは欠損しているとして、５時から１９時の間のデータ欠損がないもののみを抽出することにしてもよい。
【００７５】
そして、取得部１１０は、設置場所と日射量とが対応付けられた日射情報１３３を取得する（Ｓ２０６）。具体的には、取得部１１０は、記憶部１３０から、日射情報１３３を読み出して取得する。つまり、取得部１１０は、記憶部１３０の日射情報１３３に予め書き込まれた設置者ごとの太陽光発電設備の設置場所での日射量を、日射情報１３３から読み出して取得する。
【００７６】
なお、日射情報１３３は、場所情報１３２と同様に、１つのデータテーブルではなくて、複数のデータテーブルから構成されていてもかまわない。例えば、日射情報１３３は、メッシュ番号及び緯度経度範囲からなるデータテーブルと、設置者の識別番号及び緯度経度からなるデータテーブルと、メッシュ番号及び３分ごとの日射量からなるデータテーブルとから構成されていることにしてもよい。ここで、メッシュ番号は、地図を１ｋｍ×１ｋｍのメッシュに区画して付された番号であり、緯度経度範囲は、当該メッシュ番号の区画における緯度及び経度の範囲である。また、設置者の緯度経度は、設置者の場所（つまり、太陽光発電設備の設置場所）を緯度及び経度で表現した情報である。また、３分ごとの日射量は、メッシュ番号の区画における日射量を、ひまわり７号による３０分ごとの衛星画像を基に推定した３分ごとの日射量の推定値である。
【００７７】
この３つのデータテーブルから、太陽光発電設備の設置場所（設置者の識別番号）と日射量とが対応付けられた日射情報１３３を構成することができる。このように、日射情報１３３が複数のデータテーブルから構成されている場合でも、当該複数のデータテーブルを関連付けることで、設置場所と日射量とが対応付けられた情報を構成することができる。なお、３分ごとの日射量を１０個積算して、該当メッシュ番号における３０分ごとの日射量とする。
【００７８】
これにより、推定部１２０は、取得部１１０が取得した発電情報１３１と場所情報１３２と日射情報１３３とから、設置者の種別と発電量と日射量と定格出力とが対応付けられた情報を得ることができる。なお、発電情報１３１の日時データと日射情報１３３の日時データとを照らし合わせることで、時間についての対応付けも行うことができる。このようにして、推定部１２０は、設置者と発電量と設置場所と日射量とを関連付けることで、発電量と日射量とを設置者ごとに関連付けることができる（図４のＳ１０４）。
【００７９】
次に、図７に示すように、推定部１２０は、第一設置者２００において、換算係数を算出する（Ｓ３０２）。つまり、第一設置者２００におけるＰＶ２１０の発電量、日射量及びＰＶ２１０の定格出力は、以下の式１の関係で示すことができる。なお、第一設置者２００においては、ＰＶ２１０が発電した電力の全てを、ＰＶ２１０の発電量とする。
【００８０】
発電量の合計値＝（日射量×定格出力）の合計値×換算係数            （式１）
【００８１】
したがって、換算係数は、以下の式２で示すことができる。
【００８２】
換算係数＝発電量の合計値／（日射量×定格出力）の合計値            （式２）
【００８３】
このように、推定部１２０は、第一設置者２００において、発電量の合計値を、日射量に定格出力を乗じた値の合計値で除した値を、換算係数として算出する。具体的には、推定部１２０は、取得部１１０が取得した情報に含まれる設置者の種別を参照して、設置者が第一設置者２００か否かを判断する。そして、推定部１２０は、発電量と日射量と定格出力とを設置者ごとに関連付けた情報から、設置者が第一設置者２００であると判断した情報を抽出し、第一設置者２００における換算係数を算出する。例えば、推定部１２０は、各月ごとに換算係数を算出する。そして、推定部１２０は、算出した換算係数を、記憶部１３０に書き込むことで記憶させる。
【００８４】
これにより、推定部１２０は、第一設置者２００において、換算係数を用いて、第一関係式を算出する（Ｓ３０４）。つまり、推定部１２０は、以下の式３で示す第一関係式を算出する。
【００８５】
発電出力の合計値＝（日射量×定格出力）の合計値×換算係数          （式３）
【００８６】
このように、推定部１２０は、全ての第一設置者２００におけるＰＶ２１０の発電出力の合計値が、日射量にＰＶ２１０の定格出力を乗じた値の合計値に換算係数を乗じた値で表される関係式を、第一関係式として算出する。
【００８７】
そして、推定部１２０は、第二設置者３００において、自家消費量を算出する（Ｓ３０６）。つまり、第二設置者３００におけるＰＶ３１０の発電量、日射量及びＰＶ３１０の定格出力は、以下の式４の関係で示すことができる。なお、第二設置者３００においては、ＰＶ３１０が発電した電力を自家消費した残りを、ＰＶ３１０の発電量とする。
【００８８】
発電量の合計値＝（日射量×定格出力）の合計値×換算係数−自家消費量    （式４）
【００８９】
したがって、自家消費量は、以下の式５で示すことができる。
【００９０】
自家消費量＝（日射量×定格出力）の合計値×換算係数−発電量の合計値    （式５）
【００９１】
このように、推定部１２０は、第二設置者３００において、日射量に定格出力を乗じた値の合計値に換算係数を乗じた値から、発電量の合計値を差し引いた値を、自家消費量として算出する。具体的には、推定部１２０は、取得部１１０が取得した情報に含まれる設置者の種別を参照して、設置者が第二設置者３００か否かを判断する。そして、推定部１２０は、発電量と日射量と定格出力とを設置者ごとに関連付けた情報から、設置者が第二設置者３００であると判断した情報を抽出し、第二設置者３００における自家消費量を算出する。例えば、推定部１２０は、各月ごとに自家消費量を算出する。そして、推定部１２０は、算出した自家消費量を、記憶部１３０に書き込むことで記憶させる。
【００９２】
これにより、推定部１２０は、第二設置者３００において、自家消費量を用いて、第二関係式を算出する（Ｓ３０８）。つまり、推定部１２０は、以下の式６で示す第二関係式を算出する。
【００９３】
発電出力の合計値＝（日射量×定格出力）の合計値×換算係数−自家消費量  （式６）
【００９４】
このように、推定部１２０は、全ての第二設置者３００におけるＰＶ３１０の発電出力の合計値が、日射量にＰＶ３１０の定格出力を乗じた値の合計値に換算係数を乗じた値から自家消費量を差し引いた値で表される関係式を、第二関係式として算出する。
【００９５】
以上のようにして、太陽光発電出力推定装置１００が所定時点での太陽光発電設備の発電出力を推定する処理（太陽光発電出力推定方法）は、終了する。
【００９６】
次に、太陽光発電出力推定装置１００が奏する効果について、以下に説明する。図８Ａ及び図８Ｂは、本発明の実施の形態に係る太陽光発電出力推定装置１００が奏する効果を示す図である。具体的には、図８Ａは、第一設置者２００（全量買取）において、太陽光発電設備の発電出力を推定した結果を示し、図８Ｂは、第二設置者３００（余剰買取）において、太陽光発電設備の発電出力を推定した結果を示す。
【００９７】
図８Ａに示すように、第一設置者２００において、設備容量が約４万ｋＷのＰＶ２１０を対象に、ＰＶ２１０の発電出力を推定した結果は、誤差（ＲＭＳＥ：Root Mean Square Error）が４．２％であった。また、図８Ｂに示すように、第二設置者３００において、設備容量が約１０万ｋＷのＰＶ３１０を対象に、ＰＶ３１０の発電出力を推定した結果は、誤差（ＲＭＳＥ）が４．４％であった。このように、太陽光発電出力推定装置１００は、第一設置者２００（全量買取契約者）及び第二設置者３００（余剰買取契約者）ともに、太陽光発電設備の発電出力を精度良く推定することができていることが分かる。
【００９８】
以上のように、本発明の実施の形態に係る太陽光発電出力推定装置１００によれば、設置者ごとの太陽光発電設備の発電量と設置場所での日射量とを取得し、当該発電量と当該日射量とを設置者ごとに関連付け、設置者ごとの当該発電量と当該日射量とを用いて、設置者ごとまたは複数の設置者における所定時点での太陽光発電設備の発電出力と日射量との関係式を推定する。このように、太陽光発電出力推定装置１００は、太陽光発電設備の発電実績を用いて当該関係式を推定するため、当該関係式から、太陽光発電設備の発電出力を精度良く推定することができる。このため、太陽光発電出力推定装置１００によれば、太陽光発電設備の発電出力の推定精度を向上することができる。
【００９９】
また、太陽光発電出力推定装置１００は、発電情報１３１と場所情報１３２と日射情報１３３という３つの情報を用いて、設置者と発電量と設置場所と日射量とを関連付けることで、発電量と日射量とを設置者ごとに関連付ける。このように、太陽光発電出力推定装置１００は、当該３つの情報を用いることで、容易に、発電量と日射量とを設置者ごとに関連付けることができる。
【０１００】
また、太陽光発電出力推定装置１００は、太陽光発電設備の発電量を、設置者ごとに設けられたスマートメータから取得することで、容易に、当該発電量を取得することができる。
【０１０１】
また、太陽光発電出力推定装置１００は、太陽光発電設備が発電した電力の全てを電力系統４００へ供給する第一設置者２００における第一関係式と、太陽光発電設備が発電した電力を自家消費した残りを電力系統４００へ供給する第二設置者３００における第二関係式とを算出する。つまり、太陽光発電出力推定装置１００は、全量買取の第一設置者２００と余剰買取の第二設置者３００とに分けて、関係式を算出する。これにより、太陽光発電出力推定装置１００は、太陽光発電設備の発電出力を精度良く算出することができる。
【０１０２】
また、太陽光発電出力推定装置１００は、第一設置者２００において、第一関係式に用いられる換算係数を精度良く算出することで、太陽光発電設備の発電出力を精度良く算出することができる。
【０１０３】
また、太陽光発電出力推定装置１００は、第二設置者３００において、第一関係式における換算係数を使用して、第二関係式に用いられる自家消費量を精度良く算出することで、太陽光発電設備の発電出力を精度良く算出することができる。
【０１０４】
また、太陽光発電出力推定装置１００は、第一設置者２００及び第二設置者３００において、発電量の合計値、及び、日射量に定格出力を乗じた値の合計値を用いて、換算係数及び自家消費量を算出する。これにより、太陽光発電出力推定装置１００は、第一設置者２００及び第二設置者３００において、太陽光発電設備の発電出力の合計値を精度良く算出することができる。
【０１０５】
また、本発明は、このような太陽光発電出力推定装置１００として実現することができるだけでなく、太陽光発電設備の設置者に対して設けられた少なくとも１つのスマートメータと、当該スマートメータから得られる、所定期間における太陽光発電設備の発電量を用いて、所定期間より後の所定時点での太陽光発電設備の発電出力を推定する太陽光発電出力推定装置１００とを備える太陽光発電出力推定システム１０としても実現することができる。
【０１０６】
また、本発明は、太陽光発電出力推定装置１００に含まれる処理部が行う特徴的な処理をステップとする太陽光発電出力推定方法としても実現することができる。また、当該太陽光発電出力推定方法に含まれる特徴的な処理をコンピュータに実行させるプログラムや集積回路として実現したりすることもできる。また、当該プログラムが記録されたコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリとして実現したりすることもできる。そして、そのようなプログラムは、ＣＤ−ＲＯＭ等の記録媒体及びインターネット等の伝送媒体を介して流通させることができる。
【０１０７】
（変形例）
上記実施の形態では、取得部１１０は、太陽光発電設備の発電量と日射量とを取得し、推定部１２０は、発電量と日射量とを用いて、太陽光発電設備の発電出力と日射量との関係式を推定することとした。しかし、本変形例では、取得部１１０は、さらに気象情報を取得し、推定部１２０は、さらに気象情報を用いて、関係式を推定する。
【０１０８】
図９は、本発明の実施の形態の変形例に係る太陽光発電出力推定装置１００の機能的な構成を示すブロック図である。また、図１０は、本発明の実施の形態の変形例に係る気象情報１３４の一例を示す図である。また、図１１は、本発明の実施の形態の変形例に係る太陽光発電出力推定装置１００が所定時点での太陽光発電設備の発電出力を推定する処理の一例を示すフローチャートである。
【０１０９】
図９に示すように、本変形例においては、記憶部１３０に、上記実施の形態における発電情報１３１、場所情報１３２及び日射情報１３３に加え、気象情報１３４が記憶されている。気象情報１３４は、図１０に示すように、太陽光発電設備の設置場所での気温、日照時間、降水量、風速及び湿度の少なくとも１つを含む情報の集まりであり、具体的には、「日時」と「設置者」と「気温」と「日照時間」と「降水量」と「風速」と「湿度」とが含まれる情報である。
【０１１０】
そして、図１１に示すように、取得部１１０は、太陽光発電出力推定装置１００が発電出力を推定する所定時点より前の所定期間における、太陽光発電設備の設置者ごとの太陽光発電設備の発電量と、設置者ごとの太陽光発電設備の設置場所での日射量及び気象情報とを取得する（Ｓ１０３）。つまり、取得部１１０は、上記実施の形態での処理（図４のＳ１０２）に加えて、さらに、所定期間における、設置者ごとの太陽光発電設備の設置場所での気温、日照時間、降水量、風速及び湿度の少なくとも１つを含む気象情報を取得する。本変形例では、取得部１１０は、気温、日照時間、降水量、風速及び湿度の全てを含む気象情報１３４を取得する。具体的には、取得部１１０は、記憶部１３０から、発電情報１３１と場所情報１３２と日射情報１３３と気象情報１３４とを読み出して取得する。
【０１１１】
そして、推定部１２０は、太陽光発電設備の発電量と日射量と気象情報に含まれる情報とを設置者ごとに関連付ける（Ｓ１０５）。具体的には、推定部１２０は、取得部１１０が取得した発電情報１３１と場所情報１３２と日射情報１３３と気象情報１３４とを参照して、発電量と日射量と気象情報１３４に含まれる情報とを設置者ごとに関連付ける。
【０１１２】
そして、推定部１２０は、関連付けた設置者ごとの発電量と日射量と気象情報に含まれる情報とを用いて、関係式を推定する（Ｓ１０７）。つまり、推定部１２０は、設置者ごとの発電量と日射量と気象情報１３４に含まれる情報とを用いて、設置者ごとまたは複数の設置者における所定時点での太陽光発電設備の発電出力と日射量と気象情報１３４に含まれる情報との関係式を推定する。
【０１１３】
具体的には、推定部１２０は、第一設置者２００におけるＰＶ２１０の発電量と日射量と気象情報とＰＶ２１０の定格出力との間に以下の式７の関係があると仮定して、最適な係数ａ〜ｇを算出する。例えば、推定部１２０は、各月ごとに当該係数ａ〜ｇを算出する。そして、推定部１２０は、算出した係数ａ〜ｇを、記憶部１３０に書き込むことで記憶させる。
【０１１４】
発電量＝（日射量×ａ＋気温×ｂ＋日照時間×ｃ＋降水量×ｄ
＋風速×ｅ＋湿度×ｆ＋ｇ）×定格出力                  （式７）
【０１１５】
これにより、推定部１２０は、第一設置者２００において、当該係数ａ〜ｇを用いて、第一関係式を算出する。つまり、推定部１２０は、以下の式８で示す第一関係式を算出する。
【０１１６】
発電出力＝（日射量×ａ＋気温×ｂ＋日照時間×ｃ＋降水量×ｄ
＋風速×ｅ＋湿度×ｆ＋ｇ）×定格出力                （式８）
【０１１７】
なお、推定部１２０は、第二設置者３００においても、上記実施の形態と同様に、式８の右辺から自家消費量を差し引いた第二関係式を算出する。
【０１１８】
そして、本変形例を用いて、図８Ａ及び図８Ｂと同様の効果の検証を行った結果、第一設置者２００においては、誤差（ＲＭＳＥ）が３．８％であり、第二設置者３００においては、誤差（ＲＭＳＥ）が３．６％であった。このように、本変形例に係る太陽光発電出力推定装置１００は、第一設置者２００（全量買取契約者）及び第二設置者３００（余剰買取契約者）ともに、太陽光発電設備の発電出力をさらに精度良く推定することができていることが分かる。なお、当該検証において、気温が最も効果への寄与度（影響度）が高く、次いで日照時間、湿度の寄与度が高かった（気温の約半分の寄与度）。また、降水量及び風速は、効果にはほぼ寄与しない（影響しない）ことも分かった。
【０１１９】
以上のように、本発明の実施の形態の変形例に係る太陽光発電出力推定装置１００によれば、さらに、太陽光発電設備の設置場所での気温、日照時間、降水量、風速及び湿度の少なくとも１つを含む気象情報を用いて、関係式を推定することで、太陽光発電設備の発電出力の推定精度を上記実施の形態に対してさらに向上することができる。特に、気温、日照時間及び湿度の少なくとも１つを上記実施の形態に加えてさらに用いることで、太陽光発電設備の発電出力の推定精度を上記実施の形態に対してさらに向上することができる。
【０１２０】
以上、本発明の実施の形態及びその変形例に係る太陽光発電出力推定装置１００及び太陽光発電出力推定システム１０について説明したが、本発明は、この実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。また、上記実施の形態及びその変形例に含まれる構成要素を任意に組み合わせて構築される形態も、本発明の範囲内に含まれる。
【０１２１】
例えば、上記実施の形態では、取得部１１０は、３つのデータベース（発電情報１３１、場所情報１３２及び日射情報１３３）を取得し、推定部１２０は、これら３つのデータベースを用いて関係式を推定することとした。しかし、取得部１１０が取得するデータベースは、２つであってもよいし、１つであってもかまわない。例えば、発電情報１３１に、場所情報１３２の情報が含まれる場合には、取得部１１０は、２つのデータベース（発電情報１３１及び日射情報１３３）を取得すればよい。または、発電情報１３１に、場所情報１３２及び日射情報１３３の情報が含まれる場合には、取得部１１０は、１つのデータベース（発電情報１３１）を取得すればよい。
【０１２２】
また、上記実施の形態では、推定部１２０は、第一設置者２００における第一関係式と、第二設置者３００における第二関係式とを算出することとした。しかし、推定部１２０は、第一設置者２００における第一関係式と、第二設置者３００における第二関係式とのうちのいずれか一方のみを算出することにしてもよい。
【０１２３】
また、上記実施の形態では、推定部１２０は、第二関係式において、自家消費量を算出することとした。しかし、推定部１２０は、自家消費量の代わりに自家消費率を算出することにしてもよい。つまり、推定部１２０は、第二関係式において、太陽光発電設備の定格出力に自家消費率を乗じた値を自家消費量として、自家消費率を算出することにしてもよい。
【０１２４】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【産業上の利用可能性】
【０１２５】
本発明は、太陽光発電設備の発電出力の推定精度を向上することができる太陽光発電出力推定装置等に適用できる。
【符号の説明】
【０１２６】
１０  太陽光発電出力推定システム
１００  太陽光発電出力推定装置
１１０  取得部
１２０  推定部
１３０  記憶部
１３１  発電情報
１３２  場所情報
１３３  日射情報
１３４  気象情報
２００  第一設置者
２１０、３１０  ＰＶ（太陽光発電設備）
２３０、３３０  スマートメータ
３００  第二設置者
３２０  負荷
４００  電力系統
５００  発電設備
【図１】
2018007370.tif 000003
【図２】
2018007370.tif 000004
【図３Ａ】
2018007370.tif 000005
【図３Ｂ】
2018007370.tif 000006
【図３Ｃ】
2018007370.tif 000007
【図４】
2018007370.tif 000008
【図５】
2018007370.tif 000009
【図６】
2018007370.tif 000010
【図７】
2018007370.tif 000011
【図８Ａ】
2018007370.tif 000012
【図８Ｂ】
2018007370.tif 000013
【図９】
2018007370.tif 000014
【図１０】
2018007370.tif 000015
【図１１】
2018007370.tif 000016